(57)【要約】  ネットワーク装置は、所定のトラッキングエリアに位置登録された無線端末と通信可能である。前記ネットワーク装置は、ページングメッセージを前記無線端末に通知する送信部と、前記ページングメッセージを前記無線端末が受信したことを検知する制御部と、を備える。前記制御部は、前記ページングメッセージを前記無線端末が受信したことを検知した場合に、前記所定のトラッキングエリアに属するセルを管理する基地局に対して、前記ページングメッセージを当該基地局が解放するための解放メッセージを送信する。
2016140270.tif 000002
【特許請求の範囲】
【請求項１】
所定のトラッキングエリアに位置登録された無線端末と通信可能なネットワーク装置であって、
ページングメッセージを前記無線端末に通知する送信部と、
前記ページングメッセージを前記無線端末が受信したことを検知する制御部と、
を備え、
前記制御部は、前記ページングメッセージを前記無線端末が受信したことを検知した場合に、前記所定のトラッキングエリアに属するセルを管理する基地局に対して、前記ページングメッセージを当該基地局が解放するための解放メッセージを送信するネットワーク装置。
【請求項２】
前記所定のトラッキングエリアに属するセルを管理する前記基地局は、前記無線端末が受信した前記ページングメッセージを送信した基地局以外の基地局である請求項１に記載のネットワーク装置。
【請求項３】
前記制御部は、アイドルモードである前記無線端末に対して、第１のＤＲＸサイクルよりも長い第２のＤＲＸサイクルを使用する拡張ＤＲＸが設定されている場合に、前記解放メッセージを前記基地局に対して送信する請求項１に記載のネットワーク装置。
【請求項４】
前記制御部は、前記基地局が、ページングメッセージを再送する基地局である場合に、前記解放メッセージを前記基地局に対して送信する請求項１に記載のネットワーク装置。
【請求項５】
前記制御部は、前記解放メッセージに複数のページングメッセージを解放するための情報を含めて、前記解放メッセージを前記基地局に対して送信する請求項１に記載のネットワーク装置。
【請求項６】
所定のトラッキングエリアに位置登録された無線端末と通信可能な基地局であって、
上位ノードから受信したページングメッセージを保持する記憶部と、
前記ページングメッセージを前記無線端末に送信する制御部と、
を備え、
前記記憶部は、前記上位ノード又は前記所定のトラッキングエリアに属するセルを管理する基地局から、前記ページングメッセージを解放するためのメッセージを受信したことに応じて、前記ページングメッセージを破棄する基地局。
【請求項７】
前記制御部は、前記解放メッセージの受信に応じて、前記ページングメッセージの送信を中止する請求項６に記載の基地局。
【発明の詳細な説明】
【技術分野】
【０００１】
本発明は、移動通信システムにおいて用いられるネットワーク装置及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、無線端末の消費電力を削減するための間欠受信技術として、非連続受信（ＤＲＸ）が規定されている。ＤＲＸ状態にある無線端末は、下りリンク制御チャネルを間欠的に監視する。下りリンク制御チャネルを監視する周期は「ＤＲＸサイクル」と称される。【０００３】
アイドルモードにおいてＤＲＸ設定が行われた無線端末及び基地局は、ページングメッセージが送信され得るタイミングであるページングフレーム（ＰＦ）のシステムフレーム番号（ＳＦＮ）を、ＤＲＸサイクルに基づいて算出する。基地局は、当該タイミングでページングメッセージを送信し、無線端末は、当該タイミングでページングメッセージを受信する。【０００４】
ところで、近年、移動通信システムにおいて人が介在することなく無線端末が通信を行うマシンタイプコミュニケーション（ＭＴＣ）が注目されている。このような背景から、既存のＤＲＸサイクルよりも長い拡張ＤＲＸ（ｅｘｔｅｎｄｅｄ  ＤＲＸ）サイクルを新たに導入し、更なる消費電力の削減を図ることが検討されている（例えば、非特許文献１参照）。拡張ＤＲＸサイクルを使用するＤＲＸは拡張ＤＲＸと称される。
【先行技術文献】
【非特許文献】
【０００５】
【非特許文献１】３ＧＰＰ寄書「ＲＰ−１４１９９４」
【発明の概要】
【０００６】
第１の特徴に係るネットワーク装置は、所定のトラッキングエリアに位置登録された無線端末と通信可能である。前記ネットワーク装置は、ページングメッセージを前記無線端末に通知する送信部と、前記ページングメッセージを前記無線端末が受信したことを検知する制御部と、を備える。前記制御部は、前記ページングメッセージを前記無線端末が受信したことを検知した場合に、前記所定のトラッキングエリアに属するセルを管理する基地局に対して、前記ページングメッセージを当該基地局が解放するための解放メッセージを送信する。
【０００７】
第２の特徴に係る基地局は、所定のトラッキングエリアに位置登録された無線端末と通信可能である。前記基地局は、上位ノードから受信したページングメッセージを保持する記憶部と、前記ページングメッセージを前記無線端末に通知する制御部と、を備える。前記記憶部は、前記上位ノード又は前記所定のトラッキングエリアに属するセルを管理する基地局から前記ページングメッセージを解放するためのメッセージを受信したことに応じて、前記ページングメッセージを破棄する。
【図面の簡単な説明】
【０００８】
【図１】図１は、ＬＴＥシステムの構成図である。
【図２】図２は、ＵＥのブロック図である。
【図３】図３は、ｅＮＢのブロック図である。
【図４】図４は、ＭＭＥのブロック図である。
【図５】図５は、プロトコルスタック図である。
【図６】図６は、無線フレームの構成図である。
【図７】図７は、実施形態に係る動作を説明するための図である。
【図８】図８は、実施形態に係る動作を説明するためのシーケンス図である。
【図９】図９は、実施形態の変更例に係る動作を説明するための図である。
【発明を実施するための形態】
【０００９】
［実施形態の概要］
ページングメッセージの送信タイミングは、ＤＲＸサイクルに基づくため、基地局は、長いＤＲＸサイクルが適用されている無線端末宛てのページングメッセージを長時間保持しなければならない可能性がある。特に、拡張ＤＲＸサイクルは、既存のＤＲＸサイクルよりも長いため、基地局は、当該ページングメッセージを長時間保持する可能性が高い。その結果、基地局のリソース（メモリ）が圧迫される虞がある。
【００１０】
そこで、実施形態は、ページングメッセージの保持に基づく基地局のリソース圧迫を抑制可能なネットワーク装置及び基地局を提供する。
【００１１】
実施形態に係るネットワーク装置（例えば、ＭＭＥ、ｅＮＢ）は、所定のトラッキングエリアに位置登録された無線端末と通信可能である。前記ネットワーク装置は、ページングメッセージを前記無線端末に通知する送信部と、前記ページングメッセージを前記無線端末が受信したことを検知する制御部と、を備える。前記制御部は、前記ページングメッセージを前記無線端末が受信したことを検知した場合に、前記所定のトラッキングエリアに属するセルを管理する基地局に対して、前記ページングメッセージを当該基地局が解放するための解放メッセージを送信する。
【００１２】
実施形態において、前記所定のトラッキングエリアに属するセルを管理する前記基地局は、前記無線端末が受信した前記ページングメッセージを送信した基地局以外の基地局である。
【００１３】
実施形態において、前記制御部は、アイドルモードである前記無線端末に対して、第１のＤＲＸサイクルよりも長い第２のＤＲＸサイクルを使用する拡張ＤＲＸが設定されている場合に、前記解放メッセージを前記基地局に対して送信する。
【００１４】
実施形態において、前記制御部は、前記基地局が、ページングメッセージを再送する基地局である場合に、前記解放メッセージを前記基地局に対して送信する。
【００１５】
実施形態において、前記制御部は、前記解放メッセージに複数のページングメッセージを解放するための情報を含めて、前記解放メッセージを前記基地局に対して送信する。
【００１６】
実施形態に係る基地局は、所定のトラッキングエリアに位置登録された無線端末と通信可能である。前記基地局は、上位ノードから受信したページングメッセージを保持する記憶部と、前記ページングメッセージを前記無線端末に通知する制御部と、を備える。前記記憶部は、前記上位ノード又は前記所定のトラッキングエリアに属するセルを管理する基地局から、前記ページングメッセージを解放するためのメッセージを受信したことに応じて、前記ページングメッセージを破棄する。
【００１７】
実施形態において、前記制御部は、前記解放メッセージの受信に応じて、前記ページングメッセージの送信を中止する。
【００１８】
［実施形態］
以下において、本発明をＬＴＥシステムに適用する場合の実施形態を説明する。
【００１９】
（システム構成）
図１は、実施形態に係るＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２０】
ＵＥ１００は、ユーザ端末に相当する。ＵＥ１００は、移動型の通信装置であり、接続先のセル（サービングセル）との無線通信を行う。ＵＥ１００の構成については後述する。
【００２１】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２２】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００２３】
ＥＰＣ２０は、コアネットワークに相当する。Ｅ−ＵＴＲＡＮ１０及びＥＰＣ２０によりＬＴＥシステムのネットワーク（ＬＴＥネットワーク）が構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ（Ｏｐｅｒａｔｉｏｎ  ａｎｄ  Ｍａｉｎｔｅｎａｎｃｅ）４００とを含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００２４】
ＯＡＭ４００は、オペレータによって管理されるサーバ装置であり、Ｅ−ＵＴＲＡＮ１０の保守及び監視を行う。
【００２５】
図２は、ＵＥ１００のブロック図である。図２に示すように、ＵＥ１００は、アンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０は記憶部に相当し、プロセッサ１６０は制御部に相当する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００２６】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００２７】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００２８】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００２９】
図３は、ｅＮＢ２００のブロック図である。図３に示すように、ｅＮＢ２００は、アンテナ２０１、無線送受信機２１０、ネットワークインターフェイス２２０、メモリ２３０、及びプロセッサ２４０を備える。なお、メモリ２３０をプロセッサ２４０と一体化し、このセット（すなわち、チップセット）をプロセッサ２４０’としてもよい。
【００３０】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００３１】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３２】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００３３】
図４は、ＭＭＥ３００のブロック図である。図４に示すように、ＭＭＥ３００は、ネットワークインターフェイス３２０、メモリ３３０、及びプロセッサ３４０を備える。なお、メモリ３３０をプロセッサ３４０と一体化し、このセット（すなわち、チップセット）をプロセッサとしてもよい。
【００３４】
ネットワークインターフェイス３２０は、Ｓ１インターフェイスを介してｅＮＢ２００と接続される。ネットワークインターフェイス３２０は、Ｓ１インターフェイス上で行う通信に用いられる。
【００３５】
メモリ３３０は、プロセッサ３４０により実行されるプログラム、及びプロセッサ３４０による処理に使用される情報を記憶する。プロセッサ３４０は、ベースバンド信号の変調・復調及び符号化・復号などを行うベースバンドプロセッサと、メモリ３３０に記憶されるプログラムを実行して各種の処理を行うＣＰＵと、を含む。プロセッサ３４０は、後述する各種の処理及び各種の通信プロトコルを実行する。
【００３６】
図５は、ＬＴＥシステムにおける無線インターフェイスのプロトコルスタック図である。図５に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３７】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００３８】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロックを決定（スケジューリング）するスケジューラを含む。
【００３９】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４０】
ＰＤＣＰ層は、ヘッダ圧縮・伸張、及び暗号化・復号化を行う。
【００４１】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモード（コネクティッドモード）であり、そうでない場合、ＵＥ１００はＲＲＣアイドルモード（アイドルモード）である。
【００４２】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００４３】
図６は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４４】
図６に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。ＵＥ１００に割り当てられる無線リソースのうち、周波数リソースはリソースブロックにより構成され、時間リソースはサブフレーム（又はスロット）により構成される。
【００４５】
（ＤＲＸ動作の概要）
以下において、ＲＲＣアイドルモードにおけるＤＲＸ（ＤＲＸ：  Ｄｉｓｃｏｎｔｉｎｕｏｕｓ  Ｒｅｃｅｐｔｉｏｎ）動作について説明する。
【００４６】
ＵＥ１００は、バッテリを節約するために、ＤＲＸ動作を行うことが可能である。ＤＲＸ動作を行うＵＥ１００は、ＰＤＣＣＨを間欠的に監視する。通常、サブフレーム中のＰＤＣＣＨは、当該サブフレーム中のＰＤＳＣＨのスケジューリング情報（無線リソース及びトランスポートフォーマットの情報）を運搬する。
【００４７】
ＲＲＣアイドルモードであるＵＥ１００は、着信があることを通知するページングメッセージを受信するためにＰＤＣＣＨを間欠的に監視するＤＲＸ動作を行う。ＵＥ１００は、ページング用のグループ識別子（Ｐ−ＲＮＴＩ）を用いて、ＰＤＣＣＨ（ＣＣＥ）をデコードして、ページングチャネルの割り当て情報（ＰＩ）を取得する。ＵＥ１００は、当該割当情報に基づいて、ページングメッセージを取得する。ＵＥ１００におけるＰＤＣＣＨ監視タイミングは、通常、ＵＥ１００の識別子（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）に基づいて定められる。ＰＤＣＣＨ監視タイミングの算出について具体的に説明する。
【００４８】
ＲＲＣアイドルモードのＤＲＸ動作におけるＰＤＣＣＨ監視タイミング（ＰＤＣＣＨ監視サブフレーム）は、Ｐａｇｉｎｇ  Ｏｃｃａｓｉｏｎ（ＰＯ）と称される。
【００４９】
ＵＥ１００（及びｅＮＢ２００）は、Ｐａｇｉｎｇ  Ｏｃｃａｓｉｏｎ（ＰＯ）、及び、Ｐａｇｉｎｇ  Ｏｃｃａｓｉｏｎを含みうる無線フレームであるＰａｇｉｎｇ  Ｆｒａｍｅ（ＰＦ）を下記のように計算する。
【００５０】
ＰＦのシステムフレーム番号（ＳＦＮ）は、下記の式（１）から求められる。
【００５１】
ＳＦＮ  ｍｏｄ  Ｔ＝  （Ｔ  ｄｉｖ  Ｎ）  ＊  （ＵＥ＿ＩＤ  ｍｏｄ  Ｎ）        …（１）
【００５２】
ここで、Ｔは、ページングメッセージを受信するためのＵＥ１００のＤＲＸサイクルであり、無線フレームの数で表される。Ｎは、ＴとｎＢのうち最小値である。ｎＢは、４Ｔ，  ２Ｔ，  Ｔ，  Ｔ／２，  Ｔ／４，  Ｔ／８，  Ｔ／１６，  Ｔ／３２から選択される値である。ＵＥ＿ＩＤは、「ＩＭＳＩ  ｍｏｄ  １０２４」により求められる値である。
【００５３】
このようにして求められたＰＦのうち、ＰＯのサブフレーム番号は、下記のように求められる。まず、下記の式（２）により、インデックスｉ＿ｓを求める。
【００５４】
ｉ＿ｓ  ＝  ｆｌｏｏｒ（ＵＥ＿ＩＤ／Ｎ）  ｍｏｄ  Ｎｓ        …（２）
【００５５】
ここで、Ｎｓは、１とｎＢ／Ｔのうち最大値である。
【００５６】
次に、表１または表２からＮｓ及びインデックスｉ＿ｓに対応するＰＯを求める。表１はＬＴＥ  ＦＤＤシステムに適用され、表２はＬＴＥ  ＴＤＤシステムに適用される。表１および表２において、Ｎ／Ａは非適用を表す。
【００５７】
【表１】
2016140270.tif 000003
【００５８】
【表２】
2016140270.tif 000004
【００５９】
以上により、ＵＥ１００及びｅＮＢ２００は、ページングメッセージが送信され得るタイミングを決定する。
【００６０】
次に、拡張ＤＲＸについて説明する。拡張ＤＲＸによれば、既存のＤＲＸサイクルよりも長い拡張ＤＲＸサイクルを設定可能である。
【００６１】
拡張ＤＲＸは、ＳＩＢ２によってＵＥ１００へブロードキャストされる既存のＰＣＣＨ設定（ＰＣＣＨ−Ｃｏｎｆｉｇ．）内のページング周期（ｄｅｆａｕｌｔＰａｇｉｎｇＣｙｃｌｅ）の値域が拡張されることによって規定されてもよい。なお、ページング周期が（拡張）ＤＲＸサイクルとして用いられる。
【００６２】
或いは、既存の「ＤＲＸ−Ｃｏｎｆｉｇ」とは異なる情報要素として規定されてもよい。例えば、アイドルモードにおける拡張ＤＲＸの設定情報である「Ｉｄｌｅ−ｅＤＲＸ−Ｃｏｎｆｉｇ」が規定されてもよい。「Ｉｄｌｅ−ｅＤＲＸ−Ｃｏｎｆｉｇ」は、拡張ＤＲＸサイクルとして、例えば、「・・・、ｒｆ５１２、ｒｆ１０２４、・・・」という値域が設定可能であってもよい。
【００６３】
（実施形態に係る動作）
次に、実施形態に係る動作について、図７及び図８を用いて説明する。図７は、実施形態に係る動作を説明するための図である。図８は、実施形態に係る動作を説明するためのシーケンス図である。
【００６４】
図７に示すように、ＵＥ１００は、ｅＮＢ２００−１が管理するセルに在圏している。また、ＵＥ１００は、ＲＲＣアイドルモードであり、ＲＲＣアイドルモードにおける拡張ＤＲＸが設定されていると仮定して説明を進める。
【００６５】
ｅＮＢ２００−１、ｅＮＢ２００−２及びｅＮＢ２００−３のそれぞれは、セルを管理し、各セルは、同一のトラッキングエリア（ＴＡ）に属する。各ｅＮＢ２００は、ＭＭＥ３００とＳ１インターフェイスを介して接続される。
【００６６】
ＭＭＥ４００は、ＵＥ１００の位置登録によりＵＥ１００が存在するトラッキングエリアを知っている。一方、ＵＥ１００は、ＲＲＣアイドルモードであるため、ＵＥ１００が在圏するセル（ｅＮＢ２００）は、分からない。
【００６７】
以下において、ｅＮＢ２００−３は、ｅＮＢ２００−２と同様の動作を実行するため、ｅＮＢ２００−３の説明は、省略する。
【００６８】
図８に示すように、ステップＳ１０において、ＭＭＥ３００は、ＵＥ１００宛てのページングメッセージを、ＵＥ１００が存在するＴＡ内のセルを管理する各ｅＮＢ２００（ｅＮＢ２００−１及びｅＮＢ２００−２）に送信する。
【００６９】
各ｅＮＢ２００は、ページングメッセージを受信し、ページングメッセージを送信するタイミングに達するまでページングメッセージを保持（記憶）する。
【００７０】
ステップＳ２０において、ｅＮＢ２００−１は、ページングメッセージを送信するタイミングに達することによって、ページングメッセージを送信する。
【００７１】
ＵＥ１００は、拡張ＤＲＸの設定に従ってＰＤＣＣＨを監視するタイミングに達した場合に、ＰＤＣＣＨを監視し、ｅＮＢ２００−１からのページングメッセージを受信する。詳細には、ＵＥ１００は、ページング用のグループ識別子（Ｐ−ＲＮＴＩ）を用いて、ＰＤＣＣＨ（ＣＣＥ）をデコードし、ページングチャネルの割り当て情報（ＰＩ）を取得する。ＵＥ１００は、当該割当情報に基づいて、ページングメッセージを取得する。
【００７２】
一方、ｅＮＢ２００−２は、ページングメッセージを送信するタイミングに達していないため、ページングメッセージを保持し続ける。
【００７３】
ステップＳ３０において、ＵＥ１００は、ＵＥ１００が在圏するセルを管理するｅＮＢ２００−１に対して、ランダムアクセス手順を実行する。
【００７４】
ステップＳ４０において、ＵＥ１００は、ランダムアクセス手順を終了した後、ＭＭＥ３００に対して、サービスを要求するためのＮＡＳメッセージを、ｅＮＢ２００−１を介して通知する。ＭＭＥ３００は、ｅＮＢ２００−１を介してＮＡＳメッセージを受信する。ＭＭＥ３００は、ＮＡＳメッセージの受信に応じて、ページングメッセージをＵＥ１００が受信したことを検知する。ここで、例えば、ＵＥ１００は、ＭＭＥ３００に対して通知するＮＡＳメッセージに、ｅＮＢ２００−１の識別子を含めてもよい。これによって、ＭＭＥ３００は、ＵＥ１００がｅＮＢ２００−１からページングメッセージを受信したこと（又はＵＥ１００がｅＮＢ２００−１が管理するセルに在圏すること）を検知することとしてもよい。
【００７５】
ステップＳ５０において、ＭＭＥ３００は、ページングメッセージをＵＥ１００が受信したことを検知した場合に、ｅＮＢ２００−２に対して、ページングメッセージをｅＮＢ２００−２が解放するための解放メッセージ（Ｒｅｌｅａｓｅ  ｍｅｓｓａｇｅ）を送信する。具体的には、ＭＭＥ３００は、ＵＥ１００からのＮＡＳメッセージが経由したｅＮＢ２００−１以外の少なくとも１以上のｅＮＢ２００に対して、解放メッセージを送信する。なお、ページングメッセージを解放するための解放メッセージ（Ｒｅｌｅａｓｅ  ｍｅｓｓａｇｅ）は、ページングメッセージを破棄するための破棄メッセージ又はページングメッセージの送信を中止させるための中止メッセージであってもよい。
【００７６】
ここで、ＭＭＥ３００は、以下の場合に、解放メッセージを通知してもよい。
【００７７】
第１に、ページングメッセージの送信先であるＵＥに拡張ＤＲＸが設定されていた場合に、ＭＭＥ３００は、解放メッセージを送信することができる。例えば、ＭＭＥ３００は、ＵＥ１００に対してＮＡＳメッセージによって拡張ＤＲＸの設定を通知していた場合、解放メッセージを通知する。或いは、ＭＭＥ３００は、ＵＥ１００からＮＡＳメッセージによって拡張ＤＲＸの設定を適用した旨の通知を受けていた場合に、解放メッセージを通知する。ここで、ＵＥ１００に適用された拡張ＤＲＸの設定は、ＭＭＥ３００から通知されたものであってもよいし、ｅＮＢ２００から通知されたものであってもよい。
【００７８】
拡張ＤＲＸが設定されているＵＥ１００宛てのページングメッセージは、ｅＮＢ２００に長時間保持される可能性が高いからである。
【００７９】
なお、ページングメッセージが通常のＤＲＸが設定されているＵＥ１００宛てである場合、ＭＭＥ３００は、解放メッセージをいずれのｅＮＢ２００に送信しなくてもよい。
【００８０】
第２に、ページングメッセージを再送するｅＮＢ２００に対して、ＭＭＥ３００は、解放メッセージを送信できる。ＭＭＥ３００は、ページングメッセージを再送するｅＮＢ２００のリストを保持していてもよい。ＭＭＥ３００は、当該リストに基づいて、ページングメッセージを再送するｅＮＢ２００に解放メッセージを送信できる。
【００８１】
ページングメッセージを再送するｅＮＢ２００は、ページングメッセージを一度送信しても、再送のためにページングメッセージを保持しているためである。
【００８２】
なお、ＭＭＥ３００は、ページングメッセージを再送しないｅＮＢ２００に対しては、解放メッセージを送信しなくてもよい。
【００８３】
また、ＭＭＥ３００は、１つのページングメッセージに対応する１つの解放メッセージを送信してもよいし、複数のページングメッセージに対応する１つの解放メッセージをｅＮＢ２００に対して送信してもよい。具体的には、ＭＭＥ３００は、複数のページングメッセージのそれぞれを各ＵＥ１００が受信したことを検知した場合、各ｅＮＢ２００に対して、複数の解放メッセージを送信するのではなく、１つの解放メッセージを送信することができる。当該１つの解放メッセージには、複数のページングメッセージを解放するための情報（例えば、各ＵＥ１００の識別子）が含まれる。
【００８４】
ｅＮＢ２００−２は、ＭＭＥ３００から解放メッセージを受信する。ｅＮＢ２００−２は、解放メッセージの受信に応じて、ページングメッセージを破棄する。具体的には、ｅＮＢ２００−２は、メモリ２３０からページングメッセージを削除する。これにより、ページングメッセージに基づいて、ｅＮＢ２００−２のリソースが圧迫されることを抑制できる。
【００８５】
ｅＮＢ２００−２は、解放メッセージに複数のページングメッセージを解放するための情報が含まれる場合、当該情報によって特定される複数のページングメッセージを破棄する。１つの解放メッセージに、複数のページングメッセージを解放するための情報が含まれるため、ＭＭＥ３００から各ｅＮＢ２００へのシグナリングが減少する。その結果、ＭＭＥ３００の負荷を低減できる。特に、ＴＡ内の多数の無線端末が、拡張ＤＲＸ動作を実行している場合に有効である。
【００８６】
また、ｅＮＢ２００−２は、ページングメッセージを送信する前である場合、解放メッセージの受信に応じて、ページングメッセージの送信を中止する。これにより、ページングメッセージを送信するための無線リソースを節約できる。
【００８７】
（変更例）
次に、実施形態の変更例について、図９を用いて説明する。図９は、実施形態の変更例に係る動作を説明するための図である。上述の実施形態と異なる部分を中心に説明し、同様の部分は、適宜省略する。
【００８８】
上述の実施形態では、ＭＭＥ３００が、解放メッセージを送信していた。本変更例では、ｅＮＢ２００が、解放メッセージを送信する。
【００８９】
図９に示すように、上述の実施形態と同様の動作環境である。ここで、ｅＮＢ２００−１は、ＵＥ１００にページングメッセージを送信した後に、ＵＥ１００からシグナリングを受信する。これにより、ｅＮＢ２００−１は、ページングメッセージをＵＥ１００が受信したことを検知する。例えば、ｅＮＢ２００−１は、ランダムアクセス手順におけるシグナリング（例えば、メッセージ３）の受信に応じて、ページングメッセージをＵＥ１００が受信したことを検知する。具体的には、ｅＮＢ２００−１は、ＭＭＥ３００からのページングメッセージに含まれる識別子（ＩＤ）と、メッセージ３に含まれる識別子（ＩＤ）とを比較することによって、ページングメッセージをＵＥ１００が受信したことを検知する。例えば、ｅＮＢ２００は、Ｓ−ＴＭＳＩ（ＳＡＥ  Ｔｅｍｐｏｒａｒｙ  Ｍｏｂｉｌｅ  Ｓｔａｔｉｏｎ  Ｉｄｅｎｔｉｆｉｅｒ）が一致した場合に、ページングメッセージをＵＥ１００が受信したことを検知する。
【００９０】
図９に示すように、ｅＮＢ２００−１は、当該検知に応じて、ｅＮＢ２００−２及びｅＮＢ２００−３のそれぞれに、解放メッセージを送信する。例えば、ｅＮＢ２００−１は、Ｘ２インターフェイスを介して、解放メッセージを送信する。
【００９１】
ｅＮＢ２００−１は、自セルが属するＴＡ内の各セルを管理する各ｅＮＢ２００のリストを保持していてもよい。ｅＮＢ２００−１は、当該リストに基づいて、解放メッセージを各ｅＮＢ２００に送信してもよい。或いは、ｅＮＢ２００−１は、自セルに隣接するセルを管理する各隣接ｅＮＢ２００に対して、解放メッセージを送信してもよい。
【００９２】
ｅＮＢ２００は、ＭＭＥ３００よりもＵＥ１００からのシグナリングを早く受信可能であるため、早期に解放メッセージを送信可能である。その結果、他のｅＮＢ２００が、ページングメッセージをＵＥ１００に通知する前に、当該他のｅＮＢ２００に対して解放メッセージを送信可能である。その結果、ページングメッセージを送信するための無線リソースを節約可能である。
【００９３】
なお、ｅＮＢ２００−１から解放メッセージを受信した各ｅＮＢ２００は、同じＴＡ内のセルを管理する他のｅＮＢ２００に解放メッセージを転送（送信）してもよい。例えば、ｅＮＢ２００−２は、ｅＮＢ２００−１とＸ２インターフェイスを介して接続されていない他のｅＮＢ２００に対して、解放メッセージを転送することも可能である。
【００９４】
［その他の実施形態］
上述した実施形態では、拡張ＤＲＸが設定されたＵＥ１００を例に挙げて説明したが、これに限られない。通常のＤＲＸが設定されたＵＥ１００へのページングメッセージである場合も、各ｅＮＢ２００及びＭＭＥ３００は、同様の動作を実行してもよい。
【００９５】
上述した変更例において、ｅＮＢ２００−１は、ページングメッセージをＵＥ１００が受信したことを検知した場合、ＭＭＥ３００に対して解放メッセージを送信してもよい。解放メッセージを受信したＭＭＥ３００は、実施形態と同様に、解放メッセージを他のｅＮＢ２００に送信できる。
【００９６】
上述した実施形態では、セルラ通信システムの一例としてＬＴＥシステムを説明したが、ＬＴＥシステムに限定されるものではなく、ＬＴＥシステム以外のシステムに本発明を適用してもよい。
【００９７】
［相互参照］
日本国特許出願第２０１５−０４１８６４号（２０１５年３月３日）の全内容が参照により本願明細書に組み込まれている。
【産業上の利用可能性】
【００９８】
本発明は、通信分野において有用である。
【図１】
2016140270.tif 000005
【図２】
2016140270.tif 000006
【図３】
2016140270.tif 000007
【図４】
2016140270.tif 000008
【図５】
2016140270.tif 000009
【図６】
2016140270.tif 000010
【図７】
2016140270.tif 000011
【図８】
2016140270.tif 000012
【図９】
2016140270.tif 000013
【国際調査報告】
2016140270.tif 000014
2016140270.tif 000015